【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
所定の方向に複数の表示要素が配列された表示装置の前面に配置される、位置指示器の位置を検出するための位置検出グリッドを有する位置検出装置であって、
前記位置検出グリッドは、前記位置指示器の位置を検出するための複数の検出導体により構成され、
前記複数の検出用導体の各々は、長辺を有するループコイルであって、
該長辺は前記表示要素の所定の方向とは斜めに交差する方向に配置されており、
前記位置検出グリッド上における前記位置指示器の位置を検出するための前記複数の検出導体の検出感度を補正するための感度補正手段を備えた
ことを特徴とする位置検出装置。
【請求項２】
前記複数のループコイルは、前記検出用導体の長辺をなす配線が前記表示装置の表示要素上で等間隔となるように配置されていること
を特徴とする請求項１記載の位置検出装置。
【請求項３】
前記複数のループコイルは、前記表示装置の表示要素上で重ねて配置されていること
を特徴とする請求項１記載の位置検出装置。
【請求項４】
前記複数のループコイルは、それぞれが複数のターンからなるコイルにより形成され、前記検出用導体の長辺をなす前記多重の配線が前記表示装置の表示要素上で等間隔となるように配置されていること
を特徴とする請求項１記載の位置検出装置。
【請求項５】
前記表示装置上で前記位置指示器により指示された位置の検出は、前記複数のループコイルを選択して送信を行い、前記位置指示器により受信された信号のレベルを演算処理することにより行うこと
を特徴とする請求項１記載の位置検出装置。
【請求項６】
前記表示装置上で前記位置指示器により指示された位置の検出は、前記複数のループコイルで前記位置指示器からの送信を受信し、受信された信号のレベルを演算処理することにより行うこと
を特徴とする請求項１記載の位置検出装置。
【請求項７】
前記表示装置上で前記位置指示器により指示された位置の検出は、前記複数のループコイルを選択して送信を行い、前記位置指示器で受信し、前記位置指示器から送信された信号を同一または異なる前記ループコイルで受信し、受信された信号のレベルを演算処理することにより行うこと
を特徴とする請求項１記載の位置検出装置。
【請求項８】
前記複数のループコイルは、前記検出用導体の長辺が互いに交差する第１のループコイル群と第２のループコイル群とからなり、前記第１及び第２のループコイル群の長辺がいずれも前記表示要素の所定方向と斜めに交差していること
を特徴とする請求項１記載の位置検出装置。
【請求項９】
所定の方向に複数の表示要素が配列された表示装置の前面に配置される、位置指示器の位置を検出するための位置検出グリッドを有する位置検出装置とを有するコンピュータであって、
前記位置検出グリッドは、前記位置指示器の位置を検出するための複数の検出導体により構成され、
前記複数の検出用導体の各々は、長辺を有するループコイルであって、
該長辺は前記表示要素の所定の方向とは斜めに交差する方向に配置されており、
前記位置検出グリッド上における前記位置指示器の位置を検出するための前記複数の検出導体の検出感度を補正するための感度補正手段を備えた
ことを特徴とするコンピュータ。
【手続補正２】
【補正対象書類名】明細書
【補正対象項目名】発明の名称
【補正方法】変更
【補正の内容】
【発明の名称】位置検出装置及びコンピュータ
【手続補正３】
【補正対象書類名】明細書
【補正対象項目名】０００１
【補正方法】変更
【補正の内容】
【０００１】
本発明は、例えば表示装置から直接位置情報を入力する場合に使用して好適な位置検出装置及びコンピュータに関する。詳しくは、表示装置と位置検出装置とを組み合わせる場合にも表示に障害が発生しないようにするものである。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
請求項２に記載の位置検出装置においては、複数のループコイルは、検出用導体の長辺をなす配線が表示装置の画面上で等間隔となるように配置していることを特徴とするものである。
【手続補正７】
【補正対象書類名】明細書
【補正対象項目名】００１４
【補正方法】変更
【補正の内容】
【００１４】
請求項３に記載の位置検出装置においては、複数のループコイルは、表示装置の画面上で重ねて配置していることを特徴とするものである。
【手続補正８】
【補正対象書類名】明細書
【補正対象項目名】００１５
【補正方法】変更
【補正の内容】
【００１５】
請求項４に記載の位置検出装置においては、複数のループコイルは、それぞれが複数のターンからなるコイルにより形成され、検出用導体の長辺をなす多重の配線が表示装置の画面上で等間隔となるように配置されていることを特徴とするものである。
【手続補正９】
【補正対象書類名】明細書
【補正対象項目名】００１６
【補正方法】変更
【補正の内容】
【００１６】
請求項５に記載の位置検出装置においては、表示装置上で指示された位置の検出は、複数のループコイルを選択して送信を行い、指示器により受信された信号のレベルを演算処理することにより行うことを特徴とするものである。
【手続補正１０】
【補正対象書類名】明細書
【補正対象項目名】００１７
【補正方法】変更
【補正の内容】
【００１７】
請求項６に記載の位置検出装置においては、表示装置上で指示された位置の検出は、複数のループコイルで指示器からの送信を受信し、受信された信号のレベルを演算処理することにより行うことを特徴とするものである。
【手続補正１１】
【補正対象書類名】明細書
【補正対象項目名】００１８
【補正方法】変更
【補正の内容】
【００１８】
請求項７に記載の位置検出装置においては、表示装置上で指示された位置の検出は、複数のループコイルを選択して送信を行い、指示器で受信し指示器から送信された信号を同一または異なるループコイルで受信し、受信された信号のレベルを演算処理することにより行うことを特徴とするものである。
【手続補正１２】
【補正対象書類名】明細書
【補正対象項目名】００１９
【補正方法】変更
【補正の内容】
【００１９】
請求項８に記載の位置検出装置においては、複数のループコイルは、検出用導体の長辺が互いに交差する第１のループコイル群と第２のループコイル群とからなり、第１及び第２のループコイル群の長辺がいずれも表示要素の所定方向と交差していることを特徴とするものである。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
さらに本発明の目的を達成するため、請求項９に記載された発明は、所定方向に並ぶ複数の表示要素の状態を変化させることによって画像を表示する表示装置と、表示装置に配設されて表示装置上で指示された位置を検出する位置検出装置とを有するコンピュータであって、位置検出装置に備えられる検出用導体は、短辺と長辺からなるループコイルで構成され、ループコイルの長辺が、表示要素の所定方向と交差していることを特徴とするコンピュータである。